(57)【要約】【課題】使用者や廃棄業者が安定器の廃棄処理を行う際にも簡単に適切な処理を選択でき、適切に処理を施せることができる安定器を提供する。【解決手段】安定器ケース本体１内には、複数本のリード線５を介して互いに接続された鉄心６ａおよびコイル６ｂから形成された安定器本体６と力率改善用のコンデンサ７および電流ヒューズ８が収納される。安定器本体６は端子金具６ｃを有しており、安定器本体６とコンデンサ７および電流ヒューズ８はそれぞれ端子金具６ｃとリード線９を介してそれぞれ鉛フリー半田１０付けされて固定されている。また、安定器ケース１の外表面には、型名などが表示される銘版１ｂとともに内部に鉛が使用されていないことを表示する表示部１ｃが配置されている。【選択図】  図１
2004158540.tif 000002
【特許請求の範囲】
【請求項１】
鉄心およびコイルを有する安定器本体と；
安定器本体を埋め込む電気絶縁性の樹脂と；
安定器本体を収納し樹脂が充填され、外表面に環境負荷の材料の有無を表示した表示部を有している安定器ケースと；
を具備していることを特徴とする安定器
【請求項２】
鉄心およびコイルを有し、鉛フリーはんだを用いた安定器本体と；安定器本体を埋め込む電気絶縁性の樹脂と；
安定器本体を収納し樹脂が充填され、外表面に鉛フリーはんだを用いたことを表示した表示部を有している安定器ケースと；
を具備していることを特徴とする安定器。
【請求項３】
請求項１または２に記載の安定器と；
安定器によって点灯される放電ランプと；
放電ランプ収納する照明装置本体と；
を具備していることを特徴とする照明装置。
【発明の詳細な説明】
【０００１】
【発明の属する技術分野】本発明は、安定器に関する。
【０００２】
【従来の技術】近年の環境に対する配慮から、環境負荷の高い鉛などの危険物は敬遠されており、鉛を用いない鉛フリー半田が使用されている。
【０００３】
特に、プリント配線基板には多くの半田が用いられており、この半田による環境汚染の影響を考慮して、鉛レス半田を用いる場合が増えてきている。このため、従来のプリント配線基板は、プリント配線基板の第１面または第２面の少なくとも一方に半田付け材料が鉛フリー半田を使用していることや半田付け材料の主要成分を表示する事によって、使用者や廃棄業者がプリント配線基板の廃棄処理を行う際に、適切な処理を施せるようにしたものがある。（例えば、特許文献１参照）
【０００４】
【特許文献１】特開２００２−２１７５０４号公報
【０００５】
【発明が解決しようとする課題】しかしながら、このような従来技術を用いても、プリント配線基板を樹脂によって充填してケースに収納する安定器では、プリント基板の第１面または第２面に、鉛フリー半田が使用していることが表示されていたとしても、外部からは確認する事が出来ず、その表示を確認するためには、安定器を分解し充填されている樹脂を取り除くなどしなければならず、大変労力を必要とするものであった。
【０００６】
このため、本発明は、分解が困難である安定器においても使用している環境負荷の高い鉛などを使用していないことを、ケースの外表面に表示する事によって、使用者や廃棄業者が安定器の廃棄処理を行う際にも簡単に適切な処理を選択でき、処理を施せることができるものである。
【０００７】
【課題を解決するための手段】請求項１の発明の安定器は、鉄心およびコイルを有する安定器本体と；安定器本体を埋め込む電気絶縁性の樹脂と；安定器本体を収納し樹脂が充填され、外表面に環境負荷材料の有無を表示した表示部を有している安定器ケースと；を具備している。
【０００８】
本発明および以下の各発明において、特に指定しない限り、用語の定義および技術的な意味は次による。
【０００９】
環境負荷材料とは、鉛、カドニウム、ＰＣＢなどの有害物質を示す。例えば、安定器本体もしくは充填材に用いる樹脂にこのような材料を用いないようにする事は、環境配慮の点から重要であるが、これら環境負荷材料の使用の有無を表示することによって、使用者や廃棄業者が安定器の廃棄処理を行う際にも簡単に適切な処理を選択でき、適切に処理を施せることができるものである。
【００１０】
また、表示の仕方は、たとえばケース外表面にレーザなどで刻印する、また銘版などに記載して張り付けるなどでもよい。また、ケースの色や、模様などによって区分することも許容する。
【００１１】
請求項２の発明の安定器は、鉄心、コイルおよびコンデンサを有し鉛フリーはんだを用いた安定器本体と；安定器本体を埋め込む電気絶縁性の樹脂と；安定器本体およびプリント配線基板を収納し樹脂が充填され、外表面に鉛フリーはんだを用いたことを表示した表示部を有している安定器ケースと；を具備している。
【００１２】
安定器本体のコイルおよびコンデンサとの接続に鉛フリーはんだを用いている。このほか、ヒューズなどの電気部品との接続やパルス発生回路などをプリント基板上に形成する場合ではこのプリント基板の半田も鉛フリーはんだを用いることを許容する。
【００１３】
本発明によれば、請求項１の発明の効果に加えて、樹脂によって充填される安定器本体に使用している半田についても環境負荷材料の鉛を使用しない鉛フリー半田を用いることにより、安定器の外表面にこの鉛フリーはんだが使用していることを表示しているため、充填している樹脂を取り除かなくとも、使用者や廃棄業者が安定器の廃棄処理を行う際にも簡単に適切な処理を選択でき、適切に処理を施せることができ、廃棄処理作業を煩雑にすることなく行う事ができる。
【００１４】
請求項３の発明の照明装置は、請求項１または２に記載の安定器と；安定器によって点灯される放電ランプと；放電ランプ収納する照明装置本体と；を具備している。
【００１５】
放電ランプは、蛍光ランプ、水銀ランプ、メタルハライドランプ、高圧ナトリウムランプなどの放電ランプを示す。そうして、安定器はこの放電ランプを安定点灯させる。
【００１６】
照明器具本体内部には、放電ランプのほかに、反射体、制光体、前面ガラスおよびフィルタなどを含んで構成しても構わない。そうして照明装置は、ダウンライトや投光器などの照明として用いられるほかに、さらにはプロジェクタなどの光源として持ちることも許容する。
【００１７】
請求項３の照明装置によれば、請求項１または２の効果を奏する照明装置を提供することができる。
【００１８】
【発明の実施の形態】本発明の安定器の実施形態を図１および図２を参照して説明する。図１は安定器の正面図、図２は安定器の内部断面図を示す。
【００１９】
安定器ケースは、筒状のケース本体１の端部に端板２を取付けて形成され、ケースの上下部には安定器取付金具３，４が溶接されて取り付けられている。この安定器ケース本体１内には、複数本のリード線５を介して互いに接続された鉄心６ａおよびコイル６ｂから形成された安定器本体６と力率改善用のコンデンサ７および電流ヒューズ８が収納される。安定器本体６は端子金具６ｃを有しており、安定器本体６とコンデンサ７および電流ヒューズ８はそれぞれ端子金具６ｃとリード線９を介してそれぞれ半田１０付けされて固定されている。半田１０は、鉛を用いない鉛フリー半田であり、錫を主成分として、ニッケル及び銅を添加したものを使用した。
【００２０】
そうして、安定器本体６は、安定器ケース１に充填材１１が充填され少なくとも安定器本体６の端子金具６ｃは充填材１１によって埋没している。この充填材１１は。ポリエステル樹脂などの電気絶縁物を使用している。
【００２１】
また、安定器ケース１の外表面には、アース端子１ａ、型名などが表示される銘版１ｂおよび内部に鉛が使用されていないことを表示する表示部１ｃが配置されている。銘版１ｂおよび表示部１ｃはシルク印刷などで表示がされている。
【００２２】
本実施形態によれば、安定器ケース１の外部の表示部１ｃに環境負荷の高い原料である鉛を使用していないことを表示しておく事によって、充填材１１に埋没しているはんだ付けの部分を確認しなくとも、はんだが使用されていないことがわかるため、使用者や廃棄業者が安定器の廃棄処理を行う際にも簡単に適切な処理を選択でき、処理を施せることができるものである。
【００２３】
次に図３および図４を参照して第２の実施形態について説明する。図３は第２の実施形態の安定器の正面図および図４は同じく断面図であって、図１および図２と同一のものには同一符号を付して説明を省略する。
【００２４】
本実施形態は、銘版１ｂに鉛を使用していないことを表示している。また、本実施形態はパルス発生回路を配線基板１２上に設けている。安定器本体６と配線基板１２とはリード線を介して電気的に接続されており、リード線９の安定器本体６との接続は安定器本体６の端子金具６ｃにはんだ付けされ、リード線９の配線基板１２との接続もまた配線基板１２上ではんだ付けされている。また、配線基板１２上のパルス発生回路を構成する電子部品もまた配線基板１２上ではんだ付けして固定されている。本実施形態においてもはんだ付けに使用した半田は鉛フリー半田である。そうして、安定器ケースに安定器本体６、回線基板１２などを収納し充填材１１で、安定器本体６および配線基板１２を充填してケース１内に収納する。
【００２５】
本実施形態によれば、安定器ケース１の外部の銘版１ｂに環境負荷の高い原料である鉛を使用していないことを表示しておく事によって、充填材１１に埋没しているはんだ付けの部分および配線基板１２を確認しなくとも、鉛が使用されていないことがわかるため、使用者や廃棄業者が安定器の廃棄処理を行う際にも簡単に適切な処理を選択でき、処理を施せることができるものである。
【００２６】
【発明の効果】請求項１の発明によれば、環境負荷材料の使用の有無を表示することによって、使用者や廃棄業者が安定器の廃棄処理を行う際にも簡単に適切な処理を選択でき、適切に処理を施せることができるものである。
【００２７】
請求項２の発明によれば、請求項１の発明の効果に加えて、樹脂によって充填される安定器本体に使用している半田についても環境負荷材料の鉛を使用しない鉛フリー半田を用いている。安定器の外表面にこの鉛フリーはんだが使用していることを表示しているため、充填している樹脂を取り除かなくとも、使用者や廃棄業者が安定器の廃棄処理を行う際にも簡単に適切な処理を選択でき、適切に処理を施せることができ、廃棄処理さぎょうを煩雑にすることなく行う事ができる
【００２８】
また、請求項３の照明装置によれば、請求項１または２の効果を奏する照明装置を提供することができる。
【図面の簡単な説明】
【図１】本発明の第１の実施形態の安定器の正面図。
【図２】同じく断面図
【図３】本発明の第２の実施形態の安定器の正面図。
【図４】同じく断面図
【符号の説明】
１…安定器ケース、  １ｂ・・・銘版、  １ｃ・・・表示部、  ６…安定器本体、  ６ｃ・・・端子金具、１２・・・配線基板
【図１】
2004158540.tif 000003
【図２】
2004158540.tif 000004
【図３】
2004158540.tif 000005
【図４】
2004158540.tif 000006